(57)【要約】      （修正有）【課題】収納機能を持つパソコンデスクを提供する。【解決手段】デスク主体１０を含み、前記デスク主体の片側端面には第一デスク板１７を制御して回転させることができるネジ山ブロック機構７０が設置され、左側の前記デスク主体の右側端面には第二スライド溝が設置され、前記第二スライド溝の中には動力機構７１が設置され、第二モータを制御して起動させることにより、第四ベベルギヤが第二ベベルギヤと噛み合い、第一モータを制御して起動させることにより、連動ロッド１５が第一デスク板を連動させて揺り動かし、これにより第一デスク板が水平位置まで回転することができる。【選択図】図１
2020179086.tif 000002
【特許請求の範囲】
【請求項１】
デスク主体を含み、前記デスク主体が二組であり、且つ左右対称的に設置され、二組の前記デスク主体の互いに近接している一端にはいずれも固定ブロックが固定的に設置され、前記固定ブロックの一端には第一デスク板がヒンジにより連結され、前記第一デスク板の底端には矩形ブロックが固定的に設置され、前記固定ブロックの底部の前記デスク主体の片側端面には第一固定板が固定的に設置され、前記第一固定板の中にはいずれも第一スライド溝が設置され、前記第一スライド溝の中には前記第一デスク板を制御して回転させることができるネジ山ブロック機構が設置され、左側の前記第一固定板の右側端面には第二固定板が固定的に設置され、前記第二固定板の頂端には第三固定板が固定的に設置され、前記第三固定板の頂端には凹溝が設置され、前記凹溝の底壁には第一コンロッドがヒンジにより連結され、前記第一コンロッドの一端には第二コンロッドがヒンジにより連結され、前記第二コンロッドの一端には第二デスク板  がヒンジにより連結され、前記第二デスク板  の中部には放熱ネットが固定的に設置され、前記放熱ネットがパソコンの放熱を速めることができ、前記第二デスク板の左右両側にはいずれも第三デスク板がヒンジにより連結され、前記第三デスク板を前記第二デスク板と面一に保持することができ、前記第三デスク板が前記第二デスク板に対して下へ折られて揺れ動くことができるが、上へ折られて揺れ動くことができなく、左側の前記デスク主体の右側端面には第二スライド溝が設置され、前記第二スライド溝の中には動力機構が設置されていることを特徴とする収納機能を持つパソコンデスク。
【請求項２】
前記ネジ山ブロック機構は前記第一スライド溝の中にスライドできるように設置されている第一ネジ山ブロックを含み、前記第一スライド溝の片側端壁には連通溝が設置され、前記第一スライド溝の中には上下に伸びて設置されている第一ネジロッドが回転できるように設置され、前記第一ネジロッドが前記第一ネジ山ブロックとネジ山により連結され、前記第一ネジロッドの底部延伸部分が伸びて前記第一スライド溝から出ており、且つ前記第一ネジロッドの底端には第一ベベルギヤが固定的に設置され、前記第一ネジ山ブロックと前記矩形ブロックとの間が連動ロッドによりヒンジで連結され、左側の前記デスク主体の右端面にはスプラインスリーブが回転できるように設置され、前記スプラインスリーブの外周には前記第一ベベルギヤと噛み合って設置されている第二ベベルギヤが固定的に設置され、右側の前記デスク主体の左側端面にはスプライン軸が回転できるように設置され、前記スプライン軸の外周には前記第二ベベルギヤと同じようなベベルギヤが固定的に設置され、  前記スプラインスリーブが前記スプライン軸とスプラインにより連結され、第二ベベルギヤを回転させることにより、更にスプラインスリーブとスプライン軸を連動させて回転させ、第二ベベルギヤが第一ベベルギヤを連動させて回転させ、これにより第一ネジロッドが第一ネジ山ブロックを連動させて上下に移動させることができ、更にこれにより連動ロッドが第一デスク板を連動させて揺り動かし、更にこれにより第一デスク板が水平位置または垂直位置まで回転することができることを特徴とする請求項１に記載の収納機能を持つパソコンデスク。
【請求項３】
前記動力機構は前記第二スライド溝の中にスライドできるように設置されている第一スライダを含み、前記第一スライダの中には空きチャンバが設置され、前記空きチャンバの左側端壁の中には第一モータが固定的に嵌められており、前記第一モータの右端には右へ伸びている第二ネジロッドが動力が伝達できるように連結され、前記第二ネジロッドの外周には第三ベベルギヤが固定的に設置され、前記空きチャンバの頂壁の中には回転軸が回転できるように設置され、前記回転軸の頂端には前記第二ベベルギヤと噛み合って設置されている第四ベベルギヤが固定的に設置され、前記回転軸の底端には前記第三ベベルギヤと噛み合っている第五ベベルギヤが固定的に設置され、右側の前記デスク主体の左側端面には第三スライド溝が設置され、前記第三スライド溝の中には第二ネジ山ブロックがスライドできるように設置され、前記第三スライド溝の頂壁の中には第二モータが固定的に嵌められており、前記第二モータの底端には第三ネジロッドが動力が伝達できるように連結され、前記第三ネジロッドが前記第二ネジ山ブロックとネジ山により連結され、前記第二ネジ山ブロックの左側端面には第四固定板が固定的に設置され、前記第四固定板の左側端には第三ネジ山ブロックが固定的に設置され、前記第三ネジ山ブロックが前記第二ネジロッドとネジ山により連結され、第一モータを制御して起動させることにより、第二ネジロッドを回転させ、更にこれにより第三ベベルギヤが第五ベベルギヤを連動させて回転させ、第五ベベルギヤが回転軸を連動させて回転させ、回転軸が第四ベベルギヤを連動させて回転させ、第四ベベルギヤが第二ベベルギヤを連動させて回転させることができ、更にネジ山ブロック機構に動力を提供でき、第二モータを制御して起動させることにより、第三ネジロッドを正方向または逆方向へ回転させることができ、更に第二ネジ山ブロックが上下へ移動することができ、第二ネジ山ブロックが第四固定板を連動させて上下へ移動させ、これにより第三ネジ山ブロックが第二ネジロッドを連動させて上下へ移動させ、更にこれにより第一スライダが上下へスライドし、これにより第四ベベルギヤが第二ベベルギヤとの噛み合いから離脱しまたは第二ベベルギヤと噛み合うことができることを特徴とする請求項１に記載の収納機能を持つパソコンデスク。
【請求項４】
右側の前記デスク主体の前側端面には錠前ブロックが固定的に設置され、前記錠前ブロックの中には棒状体がスライドできるように設置され、前記棒状体の前側端面にはハンドルが固定的に設置され、前記デスク主体の底端にはローラが回転できるように設置され、右側の前記ローラの前側端面には回転盤が固定的に設置され、前記回転盤の外周には挿し溝が設置され、ハンドルを押すことにより、棒状体を挿し溝の中に挿入し、更にこれによりローラの位置を制限し、これにより装置全体を地面に固定することを特徴とする請求項１に記載の収納機能を持つパソコンデスク。
【発明の詳細な説明】
【技術分野】
【０００１】
本発明はパソコンデスク分野を取り上げて、具体的には収納機能を持つパソコンデスクである。
【背景技術】
【０００２】
現在市販されているほとんどのパソコンデスクはデスクを置く機能だけを有し、しかも構成が単一であり、ノートパソコンが使用されない時、パソコンデスクが遊んでおり、且つ取るスペースが大きく、室内の空間を浪費し、そのため、収納機能を持つパソコンデスクを設計することが必要である。
【先行技術文献】
【特許文献】
【０００３】
【特許文献１】中国特許出願公開第１０６６９０８２４号明細書
【発明の概要】
【発明が解決しようとする課題】
【０００４】
本発明は収納機能を持つパソコンデスクを提供し、従来技術における上記欠点を解消することを目的とする。
【課題を解決するための手段】
【０００５】
本発明の実施例の収納機能を持つパソコンデスクは、デスク主体を含み、前記デスク主体が二組であり、且つ左右対称的に設置され、二組の前記デスク主体の互いに近接している一端にはいずれも固定ブロックが固定的に設置され、前記固定ブロックの一端には第一デスク板がヒンジにより連結され、前記第一デスク板の底端には矩形ブロックが固定的に設置され、前記固定ブロックの底部の前記デスク主体の片側端面には第一固定板が固定的に設置され、前記第一固定板の中にはいずれも第一スライド溝が設置され、前記第一スライド溝の中には前記第一デスク板を制御して回転させることができるネジ山ブロック機構が設置され、左側の前記第一固定板の右側端面には第二固定板が固定的に設置され、前記第二固定板の頂端には第三固定板が固定的に設置され、前記第三固定板の頂端には凹溝が設置され、前記凹溝の底壁には第一コンロッドがヒンジにより連結され、前記第一コンロッドの一端には第二コンロッドがヒンジにより連結され、前記第二コンロッドの一端には第二デスク板  がヒンジにより連結され、前記第二デスク板  の中部には放熱ネットが固定的に設置され、前記放熱ネットがパソコンの放熱を速めることができ、前記第二デスク板の左右両側にはいずれも第三デスク板がヒンジにより連結され、前記第三デスク板を前記第二デスク板と面一に保持することができ、前記第三デスク板が前記第二デスク板に対して下へ折られて揺れ動くことができるが、上へ折られて揺れ動くことができなく、左側の前記デスク主体の右側端面には第二スライド溝が設置され、前記第二スライド溝の中には動力機構が設置されている。
【０００６】
更の技術プランとしては、前記ネジ山ブロック機構は前記第一スライド溝の中にスライドできるように設置されている第一ネジ山ブロックを含み、前記第一スライド溝の片側端壁には連通溝が設置され、前記第一スライド溝の中には上下に伸びて設置されている第一ネジロッドが回転できるように設置され、前記第一ネジロッドが前記第一ネジ山ブロックとネジ山により連結され、前記第一ネジロッドの底部延伸部分が伸びて前記第一スライド溝から出ており、且つ前記第一ネジロッドの底端には第一ベベルギヤが固定的に設置され、前記第一ネジ山ブロックと前記矩形ブロックとの間が連動ロッドによりヒンジで連結され、左側の前記デスク主体の右端面にはスプラインスリーブが回転できるように設置され、前記スプラインスリーブの外周には前記第一ベベルギヤと噛み合って設置されている第二ベベルギヤが固定的に設置され、右側の前記デスク主体の左側端面にはスプライン軸が回転できるように設置され、前記スプライン軸の外周には前記第二ベベルギヤと同じようなベベルギヤが固定的に設置され、  前記スプラインスリーブが前記スプライン軸とスプラインにより連結され、第二ベベルギヤを回転させることにより、更にスプラインスリーブとスプライン軸を連動させて回転させ、第二ベベルギヤが第一ベベルギヤを連動させて回転させ、これにより第一ネジロッドが第一ネジ山ブロックを連動させて上下に移動させることができ、更にこれにより連動ロッドが第一デスク板を連動させて揺り動かし、更にこれにより第一デスク板が水平位置または垂直位置まで回転することができる。
【０００７】
更の技術プランとしては、前記動力機構は前記第二スライド溝の中にスライドできるように設置されている第一スライダを含み、前記第一スライダの中には空きチャンバが設置され、前記空きチャンバの左側端壁の中には第一モータが固定的に嵌められており、前記第一モータの右端には右へ伸びている第二ネジロッドが動力が伝達できるように連結され、前記第二ネジロッドの外周には第三ベベルギヤが固定的に設置され、前記空きチャンバの頂壁の中には回転軸が回転できるように設置され、前記回転軸の頂端には前記第二ベベルギヤと噛み合って設置されている第四ベベルギヤが固定的に設置され、前記回転軸の底端には前記第三ベベルギヤと噛み合っている第五ベベルギヤが固定的に設置され、右側の前記デスク主体の左側端面には第三スライド溝が設置され、前記第三スライド溝の中には第二ネジ山ブロックがスライドできるように設置され、前記第三スライド溝の頂壁の中には第二モータが固定的に嵌められており、前記第二モータの底端には第三ネジロッドが動力が伝達できるように連結され、前記第三ネジロッドが前記第二ネジ山ブロックとネジ山により連結され、前記第二ネジ山ブロックの左側端面には第四固定板が固定的に設置され、前記第四固定板の左側端には第三ネジ山ブロックが固定的に設置され、前記第三ネジ山ブロックが前記第二ネジロッドとネジ山により連結され、第一モータを制御して起動させることにより、第二ネジロッドを回転させ、更にこれにより第三ベベルギヤが第五ベベルギヤを連動させて回転させ、第五ベベルギヤが回転軸を連動させて回転させ、回転軸が第四ベベルギヤを連動させて回転させ、第四ベベルギヤが第二ベベルギヤを連動させて回転させることができ、更にネジ山ブロック機構に動力を提供でき、第二モータを制御して起動させることにより、第三ネジロッドを正方向または逆方向へ回転させることができ、更に第二ネジ山ブロックが上下へ移動することができ、第二ネジ山ブロックが第四固定板を連動させて上下へ移動させ、これにより第三ネジ山ブロックが第二ネジロッドを連動させて上下へ移動させ、更にこれにより第一スライダが上下へスライドし、これにより第四ベベルギヤが第二ベベルギヤとの噛み合いから離脱しまたは第二ベベルギヤと噛み合うことができる。
【０００８】
更の技術プランとしては、右側の前記デスク主体の前側端面には錠前ブロックが固定的に設置され、前記錠前ブロックの中には棒状体がスライドできるように設置され、前記棒状体の前側端面にはハンドルが固定的に設置され、前記デスク主体の底端にはローラが回転できるように設置され、右側の前記ローラの前側端面には回転盤が固定的に設置され、前記回転盤の外周には挿し溝が設置され、ハンドルを押すことにより、棒状体を挿し溝の中に挿入し、更にこれによりローラの位置を制限し、これにより装置全体を地面に固定する。
【０００９】
使用する時、まず手で第二デスク板を上へ引き出し、そして第二モータを制御して起動させることにより、第三ネジロッドを回転させ、更に第二ネジ山ブロックを上へ移動させ、第二ネジ山ブロックが第四固定板を連動させて上へ移動させ、これにより第三ネジ山ブロックが第二ネジロッドを連動させて上へ移動させ、更にこれにより第一スライダが上へスライドし、これにより第四ベベルギヤと第二ベベルギヤとが噛み合い、この時、第一モータを制御して起動させ、第二ネジロッドを回転させ、更にこれにより第三ベベルギヤが第五ベベルギヤを連動させて回転させ、第五ベベルギヤが回転軸を連動させて回転させ、回転軸が第四ベベルギヤを連動させて回転させ、第四ベベルギヤが第二ベベルギヤを連動させて回転させることができ、更にスプラインスリーブとスプライン軸を連動させて回転させ、第二ベベルギヤが第一ベベルギヤを連動させて回転させ、これにより第一ネジロッドが第一ネジ山ブロックを連動させて上へ移動させることができ、更にこれにより連動ロッドが第一デスク板を連動させて揺り動かし、これにより第一デスク板が水平位置まで回転することができ、第三デスク板を第一デスク板に被せ、空きチャンバを制御して逆方向へ回転させることにより、第三ネジロッドを逆方向へ回転させ、更に第二ネジ山ブロックが下へ移動することができ、第二ネジ山ブロックが第四固定板を連動させて下へ移動させ、これにより第三ネジ山ブロックが第二ネジロッドを連動させて下へ移動させ、更にこれにより第一スライダが下へスライドし、これにより第四ベベルギヤが第二ベベルギヤとの噛み合いから離脱し、この時、第一モータを制御して起動させると左右両側のデスク主体の間の距離を調整できる。
【発明の効果】
【００１０】
本発明の有益効果は：従来のパソコンデスクと比べ、本発明のパソコンデスクは収納されることができ、空間を節約し、しかも本発明のパソコンデスクは幅を調整でき、これにより室内の空間利用率を高める。
【図面の簡単な説明】
【００１１】
【図１】図１は本発明の収納機能を持つパソコンデスクの全体構成模式図
【図２】図２は本発明の図１の中のＡの部分拡大模式図
【図３】図３は本発明の図１の中のＢの部分拡大模式図
【図４】図４は本発明の中の第二デスク板の模式図
【発明を実施するための形態】
【００１２】
以下に図１〜４を交えて本発明について詳しく説明する。便利に叙述するために、後文に出る方位を下記の通りに規定する：後文に出る上下左右前後方向は図１本体の投影関係の上下左右前後方向と一致する。
【００１３】
図１〜４を参照し、本発明の実施例の収納機能を持つパソコンデスクは、デスク主体１０を含み、前記デスク主体１０が二組であり、且つ左右対称的に設置され、二組の前記デスク主体１０の互いに近接している一端にはいずれも固定ブロック１８が固定的に設置され、前記固定ブロック１８の一端には第一デスク板１７がヒンジにより連結され、前記第一デスク板１７の底端には矩形ブロック１６が固定的に設置され、前記固定ブロック１８の底部の前記デスク主体１０の片側端面には第一固定板１１が固定的に設置され、前記第一固定板１１の中にはいずれも第一スライド溝１３が設置され、前記第一スライド溝１３の中には前記第一デスク板１７を制御して回転させることができるネジ山ブロック機構７０が設置され、左側の前記第一固定板１１の右側端面には第二固定板２５が固定的に設置され、前記第二固定板２５の頂端には第三固定板２４が固定的に設置され、前記第三固定板２４の頂端には凹溝２３が設置され、前記凹溝２３の底壁には第一コンロッド２２がヒンジにより連結され、前記第一コンロッド２２の一端には第二コンロッド２１がヒンジにより連結され、前記第二コンロッド２１の一端には第二デスク板２０  がヒンジにより連結され、前記第二デスク板２０  の中部には放熱ネット３１が固定的に設置され、前記放熱ネット３１がパソコンの放熱を速めることができ、前記第二デスク板２０の左右両側にはいずれも第三デスク板１９がヒンジにより連結され、前記第三デスク板１９を前記第二デスク板２０と面一に保持することができ、前記第三デスク板１９が前記第二デスク板２０に対して下へ折られて揺れ動くことができるが、上へ折られて揺れ動くことができなく、左側の前記デスク主体１０の右側端面には第二スライド溝３７が設置され、前記第二スライド溝３７の中には動力機構７１が設置されている。
【００１４】
前記ネジ山ブロック機構７０は前記第一スライド溝１３の中にスライドできるように設置されている第一ネジ山ブロック１２を含み、前記第一スライド溝１３の片側端壁には連通溝６０が設置され、前記第一スライド溝１３の中には上下に伸びて設置されている第一ネジロッド１４が回転できるように設置され、前記第一ネジロッド１４が前記第一ネジ山ブロック１２とネジ山により連結され、前記第一ネジロッド１４の底部延伸部分が伸びて前記第一スライド溝１３から出ており、且つ前記第一ネジロッド１４の底端には第一ベベルギヤ３２が固定的に設置され、前記第一ネジ山ブロック１２と前記矩形ブロック１６との間が連動ロッド１５によりヒンジで連結され、左側の前記デスク主体１０の右端面にはスプラインスリーブ２６が回転できるように設置され、前記スプラインスリーブ２６の外周には前記第一ベベルギヤ３２と噛み合って設置されている第二ベベルギヤ３３が固定的に設置され、右側の前記デスク主体１０の左側端面にはスプライン軸３０が回転できるように設置され、前記スプライン軸３０の外周には前記第二ベベルギヤ３３と同じようなベベルギヤ６１が固定的に設置され、  前記スプラインスリーブ２６が前記スプライン軸３０とスプラインにより連結され、第二ベベルギヤ３３を回転させることにより、更にスプラインスリーブ２６とスプライン軸３０を連動させて回転させ、第二ベベルギヤ３３が第一ベベルギヤ３２を連動させて回転させ、これにより第一ネジロッド１４が第一ネジ山ブロック１２を連動させて上下に移動させることができ、更にこれにより連動ロッド１５が第一デスク板１７を連動させて揺り動かし、更にこれにより第一デスク板１７が水平位置または垂直位置まで回転することができる。
【００１５】
前記動力機構７１は前記第二スライド溝３７の中にスライドできるように設置されている第一スライダ３９を含み、前記第一スライダ３９の中には空きチャンバ４０が設置され、前記空きチャンバ４０の左側端壁の中には第一モータ３６が固定的に嵌められており、前記第一モータ３６の右端には右へ伸びている第二ネジロッド２８が動力が伝達できるように連結され、前記第二ネジロッド２８の外周には第三ベベルギヤ３８が固定的に設置され、前記空きチャンバ４０の頂壁の中には回転軸３５が回転できるように設置され、前記回転軸３５の頂端には前記第二ベベルギヤ３３と噛み合って設置されている第四ベベルギヤ３４が固定的に設置され、前記回転軸３５の底端には前記第三ベベルギヤ３８と噛み合っている第五ベベルギヤ４１が固定的に設置され、右側の前記デスク主体１０の左側端面には第三スライド溝４５が設置され、前記第三スライド溝４５の中には第二ネジ山ブロック４３がスライドできるように設置され、前記第三スライド溝４５の頂壁の中には第二モータ４２が固定的に嵌められており、前記第二モータ４２の底端には第三ネジロッド４４が動力が伝達できるように連結され、前記第三ネジロッド４４が前記第二ネジ山ブロック４３とネジ山により連結され、前記第二ネジ山ブロック４３の左側端面には第四固定板２９が固定的に設置され、前記第四固定板２９の左側端には第三ネジ山ブロック２７が固定的に設置され、前記第三ネジ山ブロック２７が前記第二ネジロッド２８とネジ山により連結され、第一モータ３６を制御して起動させることにより、第二ネジロッド２８を回転させ、更にこれにより第三ベベルギヤ３８が第五ベベルギヤ４１を連動させて回転させ、第五ベベルギヤ４１が回転軸３５を連動させて回転させ、回転軸３５が第四ベベルギヤ３４を連動させて回転させ、第四ベベルギヤ３４が第二ベベルギヤ３３を連動させて回転させることができ、更にネジ山ブロック機構７０に動力を提供でき、第二モータ４２を制御して起動させることにより、第三ネジロッド４４を正方向または逆方向へ回転させることができ、更に第二ネジ山ブロック４３が上下へ移動することができ、第二ネジ山ブロック４３が第四固定板２９を連動させて上下へ移動させ、これにより第三ネジ山ブロック２７が第二ネジロッド２８を連動させて上下へ移動させ、更にこれにより第一スライダ３９が上下へスライドし、これにより第四ベベルギヤ３４が第二ベベルギヤ３３との噛み合いから離脱しまたは第二ベベルギヤ３３と噛み合うことができる。
【００１６】
右側の前記デスク主体１０の前側端面には錠前ブロック４６が固定的に設置され、前記錠前ブロック４６の中には棒状体４７がスライドできるように設置され、前記棒状体４７の前側端面にはハンドル４８が固定的に設置され、前記デスク主体１０の底端にはローラ５１が回転できるように設置され、右側の前記ローラ５１の前側端面には回転盤４９が固定的に設置され、前記回転盤４９の外周には挿し溝５０が設置され、ハンドル４８を押すことにより、棒状体４７を挿し溝５０の中に挿入し、更にこれによりローラ５１の位置を制限し、これにより装置全体を地面に固定する。
【００１７】
使用する時、まず手で第二デスク板２０を上へ引き出し、そして第二モータ４２を制御して起動させることにより、第三ネジロッド４４を回転させ、更に第二ネジ山ブロック４３を上へ移動させ、第二ネジ山ブロック４３が第四固定板２９を連動させて上へ移動させ、これにより第三ネジ山ブロック２７が第二ネジロッド２８を連動させて上へ移動させ、更にこれにより第一スライダ３９が上へスライドし、これにより第四ベベルギヤ３４と第二ベベルギヤ３３とが噛み合い、この時、第一モータ３６を制御して起動させ、第二ネジロッド２８を回転させ、更にこれにより第三ベベルギヤ３８が第五ベベルギヤ４１を連動させて回転させ、第五ベベルギヤ４１が回転軸３５を連動させて回転させ、回転軸３５が第四ベベルギヤ３４を連動させて回転させ、第四ベベルギヤ３４が第二ベベルギヤ３３を連動させて回転させることができ、更にスプラインスリーブ２６とスプライン軸３０を連動させて回転させ、第二ベベルギヤ３３が第一ベベルギヤ３２を連動させて回転させ、これにより第一ネジロッド１４が第一ネジ山ブロック１２を連動させて上へ移動させることができ、更にこれにより連動ロッド１５が第一デスク板１７を連動させて揺り動かし、これにより第一デスク板１７が水平位置まで回転することができ、第三デスク板１９を第一デスク板１７に被せ、空きチャンバ４０を制御して逆方向へ回転させることにより、第三ネジロッドを逆方向へ回転させ、更に第二ネジ山ブロック４３が下へ移動することができ、第二ネジ山ブロック４３が第四固定板２９を連動させて下へ移動させ、これにより第三ネジ山ブロック２７が第二ネジロッド２８を連動させて下へ移動させ、更にこれにより第一スライダ３９が下へスライドし、これにより第四ベベルギヤ３４が第二ベベルギヤ３３との噛み合いから離脱し、この時、第一モータ３６を制御して起動させると左右両側のデスク主体１０の間の距離を調整できる。
【００１８】
本発明の有益効果は：従来のパソコンデスクと比べ、本発明のパソコンデスクは収納されることができ、空間を節約し、しかも本発明のパソコンデスクは幅を調整でき、これにより室内の空間利用率を高める。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179086.tif 000003
【図２】
2020179086.tif 000004
【図３】
2020179086.tif 000005
【図４】
2020179086.tif 000006